(57)【要約】【課題】医療用ベットにおいて、昇降動作が速くてスムーズに行え、部品点数が少なくして、簡単かつ安価に製造できるようにする。【解決手段】ベット本体２上に前後方向に並置された複数の分割床１２と、前記ベット本体２の左右両側にそれぞれ設けられていて、分割床１２のいくつかの両端と係合された昇降装置フレーム１６と、該昇降装置フレーム１６に昇降自在に設けられた昇降支持体１７と、この昇降支持体１７を昇降させる昇降機構１８とを備え、この昇降機構１８を、昇降装置フレーム１６に基端側が枢支された前後一対のリンクアーム２２，２３と、このリンクアーム２２，２３の自由端同士を連結する連結杆２４とで四節リンク機構２５を形成し、この四節リンク機構２５で前記昇降支持体１７を支持して、前記リンクアーム２２，２３のいずれか一方に昇降駆動手段２６が設けて構成する。【選択図】図１
2006325877.tif 000002
【特許請求の範囲】
【請求項１】
ベット本体（２）上に前後方向に並置された複数の分割床（１２）と、前記ベット本体（２）の左右両側にそれぞれ設けられていて、分割床（１２）のいくつかの両端が係合された昇降支持体（１７）と、この昇降支持体（１７）を昇降させる昇降機構（１８）とを備える医療用ベットであって、
前記昇降機構（１８）は、基端側が枢支された前後一対のリンクアーム（２２，２３）と、このリンクアーム（２２，２３）の自由端同士を連結する連結杆（２４）とで四節リンク機構（２５）を形成し、この四節リンク機構（２５）で前記昇降支持体（１７）を支持し、前記リンクアーム（２２，２３）のいずれか一方を揺動させる昇降駆動手段（２６）を設けていることを特徴とする医療用ベット。
【請求項２】
前記四節リンク機構（２５）はリンクアーム（２２，２３）が平行な平行リンク機構であり、リンクアーム（２２，２３）の自由端側又は連結杆（２４）に昇降支持体（１７）を支持する回転受体（３８）を設けていることを特徴とする請求項１に記載の医療用ベット。
【発明の詳細な説明】
【技術分野】
【０００１】
本発明は、体の不自由な患者等に用いるのに適した医療用ベットであって、ベット本体上に前後方向に並置された複数の分割床を、選択的に昇降し得る医療用ベットに関する。
【背景技術】
【０００２】
例えば、特許文献１に示すように、ベット本体上に前後方向に沿って並置された複数の分割床のいくつかを、前記ベット本体の左右両側に設けられた昇降支持体に係合し、昇降支持体を昇降機構により昇降させて、任意の分割床を昇降させる医療用ベットが知られている。前記昇降機構は、モータにより回転する駆動軸に設けられた一対の軸受間の相対的距離を変化させることで、昇降支持体を昇降させるとぐろジョイント機構を用いている。
【特許文献１】特許第３４５４５６２号
【発明の開示】
【発明が解決しようとする課題】
【０００３】
前記昇降機構は、耐荷重に優れるが、昇降速度が遅くベット本体の姿勢変更に時間がかかるという問題があった。また、多数の軸受とリンクアームとを要するので部品点数が多く、製造コストが安価に抑え難いという問題があった。
本発明は、上記の問題点を解決し得る医療用ベットを提供することを目的とする。
本発明は、昇降動作が速くてスムーズに行え、部品点数が少ないので簡単かつ安価に製造可能な医療用ベットを提供することを目的とする。
【課題を解決するための手段】
【０００４】
上記の目的を達成するために、本発明は次の技術的手段を講じた。すなわち、
ベット本体２上に前後方向に並置された複数の分割床１２と、前記ベット本体２の左右両側にそれぞれ設けられていて、分割床１２のいくつかの両端が係合された昇降支持体１７と、この昇降支持体１７を昇降させる昇降機構１８とを備える医療用ベットであって、
前記昇降機構１８は、基端側が枢支された前後一対のリンクアーム２２，２３と、このリンクアーム２２，２３の自由端同士を連結する連結杆２４とで四節リンク機構２５を形成し、この四節リンク機構２５で前記昇降支持体１７を支持し、前記リンクアーム２２，２３のいずれか一方を揺動させる昇降駆動手段２６を設けている。
【０００５】
これによって、昇降動作が速くてスムーズに行え、部品点数が少ないので、簡単かつ安価に医療用ベット１を製造できる。
前記四節リンク機構２５はリンクアーム２２，２３が平行な平行リンク機構であり、リンクアーム２２，２３の自由端側又は連結杆２４に昇降支持体１７を支持する回転受体３８を設けている。
これによって、患者を水平に維持したままスムーズな昇降が可能となる。
【発明の効果】
【０００６】
本発明により、昇降動作が速くてスムーズに行え、部品点数が少ないので、簡単かつ安価に医療用ベットを製造できる。
【発明を実施するための最良の形態】
【０００７】
以下、本発明の医療用ベット１は図１〜４において示すように、既製のベット本体２に分割床昇降装置３を、溶接、接着、締結等の既知の手段を用いて装着している。
なお、本明細書において前方向とはベット本体２に臥床した患者の頭部側（図１における昇降駆動手段２６を有さない右側）、後方向とは足側を示すものとする。
前記ベット本体２は、左右一対の支柱５、５を有する前後一対の支持脚４、４備え、支柱５の下端にはキャスタ６が取り付けられている。支柱５の上下中途部には、フレーム支持用の突起７が形成されており、この突起７にベット１の前後方向にわたって側フレーム８が引っ掛け支持されている。突起７は、上下方向に適宜間隔で複数形成され、側フレーム８の高さ調整を可能としている。側フレーム８は左右一対とされており、この一対の側フレーム８、８間に架設された長尺の前後フレーム９，９により連結されて、長方枠状のベットフレーム１０を構成している。
【０００８】
前記ベットフレーム１０は下方より床支持部１１を支持しており、この床支持部１１は、患者の体重等により撓むことがないように、金属製の網体あるいは格子体等で形成されている。また、前記床支持部１１の上方には、ベット本体２の前後方向に沿って並設された複数の分割床１２が載置されており、床支持部１１を介してかかる全荷重を前記ベットフレーム１０で支持している。
前記分割床１２は、ベット本体２の左右方向に長い略方形状の床板であって、ベット本体２の前後方向に複数並置されている。すなわち、ベット上に臥床した患者の頭部に対応する第１分割床１２ａ、胸部位置に対応する第２分割床１２ｂ、腹部位置に対応する第３分割床１２ｃ、大腿部位置に対応する第４分割床１２ｄ、及び脛部位置に対応する第５分割床１２ｅから構成されている。
【０００９】
前記分割床１２は、鋼板を折曲成形してなる支持枠１３に長方柱状の分割床本体１４を嵌着してなり、支持枠１３には、左右方向に庇状に張り出した突片１５が延設されている。なお、支持枠１３を設けずに、分割床本体１４に直接突片１５を設けてもよい。分割床１２はベット本体２の床支持部１１上面に載置されているのみであるため、自在に上昇移動させられる。なお、分割床本体１４には、畳や木材などの比較的変形し難い床材を所望の大きさに分断したものを使用することができ、患者の体重ではあまり変形しない床材を用いているので、所要の分割床１２で確実に患者を持ち上げることができる。
【００１０】
次に、分割床昇降装置３について説明する。本実施形態の分割床昇降装置３は、ベット本体２の左右の側フレーム８、８の外側にそれぞれ取り付けられた昇降装置フレーム１６、１６と、この昇降装置フレーム１６に昇降自在に設けられた昇降支持体１７と、前記昇降支持体１７に係合して分割床１２を昇降自在に係止する係止手段１９と、この昇降支持体１７を昇降させる昇降機構１８とを備えている。
前記係止手段１９は、左右の前記昇降支持体１７に取り付けられる係止具３１と、この係止具３１と係合して支持枠１３（分割床１２）を昇降自在に支持する突片１５とから構成されている。前記係止具３１は、下方に開口したコの字断面形状に形成されており、昇降支持体１７の上面側に外嵌して、昇降支持体１７と一体的に昇降するようになっている。前記係止具３１は、支持枠１３の側面に突設される突片１５に係合するように縁部が張り出し形成されているので、前記係止手段１９が設けられた分割床１２のみを適宜選択して上下に昇降させ得る。
【００１１】
前記昇降装置フレーム１６は、側フレーム８に固定されており、上方に前記昇降支持体１７の垂直上下移動を案内する開口部３２が形成された筺体である。昇降装置フレーム１６は、床Ｆに接地していないので、キャスタ６による医療用ベット１の移動を妨げない。また昇降装置フレーム１６の筺底面には昇降機構１８が取り付けられており、昇降支持体１７を昇降フレーム１６に対して昇降自在に固定している。
前記昇降支持体１７は、ベット本体２の前後方向に長い長方柱状であって、複数の分割床１２の左右側方に位置している。この昇降支持体１７の上面には、複数の手摺取付孔２０が設けられており、この手摺取付孔２０にベット本体２の前後方向に亘って手摺２１が着脱自在に取り付けられている。また、昇降支持体１７の下側には下方に向かってコの字状に開口した案内部材３６が前後方向に亘って設けられている。
【００１２】
前記昇降機構１８は、前記昇降装置フレーム１６に対して昇降支持体１７を昇降自在に支持する四節リンク機構２５と、この四節リンク機構２５を昇降揺動する昇降駆動手段２６とで構成される。
前記四節リンク機構２５は、前記昇降装置フレーム１６に基端側で連結され、上下方向に傾斜して伸びる前後一対のリンクアーム２２，２３と、この前後リンクアーム２２，２３の上端（自由端）同士を連結する連結杆２４とで構成されており、前記連結杆２４の両端の２つの連結部分（連結節）を自由端としてリンクアーム２２，２３の基端部分回りに上下揺動自在となっている。
【００１３】
前記リンクアーム２２，２３は、同一長さで平行リンクとなっており、基端側が昇降装置フレーム１６の筺底面に、ピン３３を介して連結されて回動自在に枢支されて、上端側に枢支ピン３４を介して回転受体３８が枢着されると共に連結杆２４のそれぞれの端部を連結している。
前記回転受体３８は、その外周縁が連結杆２４より上方に突出した回転体であって、コロ又はベアリングで形成されている。前記回転受体３８は、連結杆２４の前後方向中途部にも設けられることが好ましく、前後複数の回転受体３８で昇降支持体１７の下面に設けた案内部材３６に当接しており、前記四節リンク機能２５が上下方向に揺動変形しても、下方より昇降支持体１７を支持しながら移動可能となっている。
【００１４】
前記昇降駆動手段２６は、本体ケース２７の基端側周面に設けられたモータ４２と、このモータ４２によって駆動される一対のベベルギヤ４３，４４と、従動ベベルギヤ４４を装着したねじ軸４５と、このねじ軸４５の回動により出退動する伸縮部材４６とを備えている。前記伸縮部材４６はねじ部材４５に螺合したナット部４８を有し、本体ケース２７にキー４９を介して出退動作が案内されている。
前記昇降駆動手段２６は、基端側が昇降装置フレーム１６の筺底部に枢支されており、先端側はリンクアーム２３に回動自在に固定されている。よって、前記モータ４２の駆動により、前記伸縮部材４６が伸長すると、リンクアーム２３は基端部を軸として上昇揺動し、連結杆２４を介してリンクアーム２２も連動し、回転受体３８は上昇しながら案内部材３６内を転道し、昇降支持体１７を上昇させて、それに係合した分割床１２を他の分割床１２に対して持ち上げ、不働の分割床１２上に患者との間に隙間を形成する。
【００１５】
本発明は前記実施形態における各部材の形状およびそれぞれの前後・左右・上下の位置関係は、図１〜４に示すように構成することが最良である。しかし、前記実施形態に限定されるものではなく、部材、構成を種々変形したり、組み合わせを変更したりすることもできる。
前記リンクアーム２２とリンクアーム２３との上下方向の長さは、必ずしも同一長さとする必要はない。前記四節リンク機構２５を平行リンクとしないことで、昇降動作において前後いずれかに向かって傾斜させることができ、患者の姿勢にバリエーションを持たせることが出来、利便性が向上する。
【００１６】
前記分割床１２は５枚以外の複数枚でも良く、持ち上げる分割床１２は１又は複数枚を適宜選択できる。また、前記回転受体３８は回転体であれば、コロであってもベアリングであっても良い。前記昇降駆動手段２６は、モータ駆動のジャッキでなくても良く、例えばエアーシリンダあるいは油圧シリンダを用いても良い。
【図面の簡単な説明】
【００１７】
【図１】第１実施形態の医療用ベットの一部断面正面図である。
【図２】図１のＡ−Ａ線断面図である。
【図３】同平面図である。
【図４】昇降駆動手段の断面図である。
【符号の説明】
【００１８】
１    医療用ベット
２    ベット本体
１２  分割床
１６  昇降装置フレーム
１７  昇降支持体
１８  昇降機構
２２  リンクアーム（前部）
２３  リンクアーム（後部）
２４  連結杆
２５  四節リンク機構
３８  回転受体
４２  モータ
４５  ねじ軸
４６  伸縮部材
【図１】
2006325877.tif 000003
【図２】
2006325877.tif 000004
【図３】
2006325877.tif 000005
【図４】
2006325877.tif 000006